(57)【要約】【課題】機能部を取り外しても外観の違和感なく、使用することが可能となる衣服を提供する。【解決手段】機能部を着脱可能な衣服であって、機能部を取り付けたときに機能部に近接対向する取付孔１４と、取付孔１４の上部に設けられ、取付孔１４の上部から下ろしたときに取付孔１４を覆隠可能な覆隠カバー３と、取付孔１４の上部に設けられ、服１０の着衣方向下向きに備えた開口部２４と、覆隠カバー３を外部から視認不可に収容可能な収容部２９とが設けられた、覆隠ひだ２と、服１０に設けられ、覆隠カバー３を下ろしたときに覆隠カバー３に嵌合面が対向する一方側嵌合部１５と、覆隠カバー３に設けられ、覆隠カバー３を下ろしたときに取付孔１４が設けられた面に嵌合面が対向する他方側嵌合部３１と、を備え、一方側嵌合部１５と他方側嵌合部３１とは、互いに嵌合可能に設けられ、覆隠カバー３は、覆隠固定部４によって服１０と固定される。【選択図】図５
0003233777.tif 000002
【実用新案登録請求の範囲】
【請求項１】
着衣内部の環境を調整する機能部を着脱可能な衣服であって、
前記機能部を前記衣服に取り付けたときに前記機能部に近接対向する取付孔と、
前記衣服の着衣時における前記取付孔の上部に設けられ、前記取付孔の上部から下ろしたときに前記取付孔を覆隠可能な覆隠カバーと、
前記衣服の着衣時において前記取付孔の上部に設けられ、前記衣服の着衣方向下向きに備えられ前記覆隠カバーを下ろすことが可能な開口部と、前記覆隠カバーを外部から視認不可に収容可能な収容部とが設けられた、覆隠ひだと、
前記衣服の前記覆隠カバーにより覆隠される範囲に設けられ、前記覆隠カバーを前記取付孔の上部から下ろしたときに前記覆隠カバーに嵌合面が対向する一方側嵌合部と、
前記覆隠カバーに設けられ、前記覆隠カバーを前記取付孔の上部から下ろしたときに前記衣服の前記取付孔が設けられた面に嵌合面が対向する他方側嵌合部と、
を備え、
前記一方側嵌合部と前記他方側嵌合部とは、互いに嵌合可能に設けられ、
前記覆隠カバーは、前記一方側嵌合部と前記他方側嵌合部とが嵌合した覆隠固定部によって、前記衣服と固定される、
機能部を着脱可能な衣服。
【請求項２】
前記覆隠カバーは、前記取付孔を覆隠したときの前記覆隠カバーの外表面の外観は、前記衣服の外表面の外観に略一致する、
請求項１に記載の機能部を着脱可能な衣服。
【請求項３】
前記機能部を取り付けた前記衣服において、
前記機能部は、前記覆隠カバーを下ろすことで覆隠され、
前記機能部を覆隠した前記覆隠カバーは、前記覆隠固定部によって、前記衣服に固定される、
請求項１または２に記載の機能部を着脱可能な衣服。
【請求項４】
前記収容部は、前記衣服の着衣方向上向きに備えられた収容口を有する、
請求項１から３のいずれか一項に記載の機能部を着脱可能な衣服。
【請求項５】
前記開口部は、前記衣服と前記覆隠ひだとの間に設けられ、貼剥自在な面ファスナーにより形成されている、
請求項１から３のいずれか一項に記載の機能部を着脱可能な衣服。 
【請求項６】
前記衣服は、前記取付孔の前記衣服の着衣方向上部に前記他方側嵌合部と嵌合可能な嵌合面を有する上部嵌合部が設けられ、
前記覆隠カバーは、前記他方側嵌合部と前記上部嵌合部とが嵌合することで、前記取付孔に近接対向しない高さで前記取付孔の前記衣服の着衣方向上部において、前記衣服と固定される、
請求項１から５のいずれか一項に記載の機能部を着脱可能な衣服。
【請求項７】
前記他方側嵌合部は、前記覆隠カバーを下ろしたときの前記覆隠カバーの下端部に設けられ、
前記一方側嵌合部は、前記衣服において前記覆隠カバーの前記下端部に設けられた前記他方側嵌合部に嵌合可能な位置に設けられる、
請求項１から６のいずれか一項に記載の機能部を着脱可能な衣服。
【考案の詳細な説明】
【技術分野】
【０００１】
本考案は、機能部を着脱可能な衣服に関する。
【背景技術】
【０００２】
衣服（例えば、ベスト等の上着）において、着衣時に内部の環境を調整する機能部を備えた衣服として、電気の供給を受けて駆動するファンを備えた衣服（ファン付き服）等が使用されている。
上記で挙げた機能部を備えた衣服には、機能部が所定の取付位置（例えば、衣服の背部）に着脱可能に取り付けられるための取付孔等の孔部が設けられたものがある（例えば、特許文献１参照）。
【先行技術文献】
【特許文献】
【０００３】
【特許文献１】特開２０２０−７９４５２号公報
【考案の概要】
【考案が解決しようとする課題】
【０００４】
しかしながら、外気環境（例えば、気温等）や着衣目的（例えば、機能部による環境調整が不要な作業での使用、普段着としての使用等）、快適性（例えば、着衣者の運動等の振動による機能部との断続的な接触により着衣者が感じる違和感等）等の理由により、機能部を取り外して衣服を使用する際、従来の構成では、機能部を取り外した際の衣服の外観が、取付孔等の孔部が露出した外観となる。そのため、着衣者の周囲からの印象を損ねる可能性があることから、機能部を取り外した構成での使用に適さないという課題がある。
【０００５】
本考案は、上記の事情に鑑みてなされたもので、機能部を取り外しても外観の違和感なく、使用することが可能となる衣服を提供することを目的とする。
【課題を解決するための手段】
【０００６】
上記目的を達成するため、本考案に係る機能部を着脱可能な衣服は、着衣内部の環境を調整する機能部を着脱可能な衣服であって、前記機能部を前記衣服に取り付けたときに前記機能部に近接対向する取付孔と、前記衣服の着衣時における前記取付孔の上部に設けられ、前記取付孔の上部から下ろしたときに前記取付孔を覆隠可能な覆隠カバーと、前記衣服の着衣時において前記取付孔の上部に設けられ、前記衣服の着衣方向下向きに備えられ前記覆隠カバーを下ろすことが可能な開口部と、前記覆隠カバーを外部から視認不可に収容可能な収容部とが設けられた、覆隠ひだと、前記衣服の前記覆隠カバーにより覆隠される範囲に設けられ、前記覆隠カバーを前記取付孔の上部から下ろしたときに前記覆隠カバーに嵌合面が対向する一方側嵌合部と、前記覆隠カバーに設けられ、前記覆隠カバーを前記取付孔の上部から下ろしたときに前記衣服の前記取付孔が設けられた面に嵌合面が対向する他方側嵌合部と、を備え、前記一方側嵌合部と前記他方側嵌合部とは、互いに嵌合可能に設けられ、前記覆隠カバーは、前記一方側嵌合部と前記他方側嵌合部とが嵌合した覆隠固定部によって、前記衣服と固定される。
【０００７】
上記の構成を有することで、覆隠カバーを下ろして取付孔を覆隠した覆隠固定部を形成することにより、取付孔を外部から確実に覆隠することが可能となる。また、機能部を衣服に取り付けて使用する際は、覆隠カバーを収容部に外部から視認不可な状態で収容することにより、衣服の外観の違和感なく、機能部を取り付けた衣服を使用することが可能となる。また、覆隠ひだが衣服の着衣方向下向きに開口している構成により、覆隠カバーの出し入れを容易に行うことが可能となる。
【０００８】
また、本考案に係る機能部を着脱可能な衣服において、前記覆隠カバーは、前記取付孔を覆隠したときの前記覆隠カバーの外表面の外観は、前記衣服の外表面の外観に略一致してもよい。
【０００９】
上記の構成を有することで、覆隠カバーを下ろしたときの覆隠カバーの外表面の外観と衣服の外表面の外観とが、略一致することにより、取付孔を覆隠カバーで覆隠した際に、該覆隠箇所への違和感を解消することが可能となるため、機能部を取り外しても一般的な衣服として使用することが可能となる。
【００１０】
また、本考案に係る機能部を着脱可能な衣服は、前記機能部を取り付けた前記衣服において、前記機能部は、前記覆隠カバーを下ろすことで覆隠され、前記機能部を覆隠した前記覆隠カバーは、前記覆隠固定部によって、前記衣服に固定されてもよい。
【００１１】
上記の構成を有することで、機能部を取り付けた状態の衣服においても、覆隠カバーを下ろして機能部および取付孔を覆隠した覆隠固定部を形成することにより、機能部および取付孔を外部から確実に覆隠することが可能となる。
【００１２】
また、本考案に係る機能部を着脱可能な衣服において、前記収容部は、前記衣服の着衣方向上向きに備えられた収容口を有してもよい。
【００１３】
上記の構成を有することで、覆隠カバーを収容部に収容した際に、衣服の振動等により意図しない外部への露出を防ぐことが可能となる。
【００１４】
また、本考案に係る機能部を着脱可能な衣服において、前記開口部は、前記衣服と前記覆隠ひだとの間に設けられ、貼剥自在な面ファスナーにより形成されてもよい。
【００１５】
上記の構成を有することで、容易な操作により衣服の着衣方向下向きに設けられた開口部を開閉自在にすることが可能となり、容易に覆隠カバーを着衣方向下向きに下ろすことができる。また、開口部を閉じることができるため、覆隠カバーの意図しない外部への露出を容易に防ぐことが可能となる。
【００１６】
また、本考案に係る機能部を着脱可能な衣服において、前記衣服は、前記取付孔の前記衣服の着衣方向上部に前記他方側嵌合部と嵌合可能な嵌合面を有する上部嵌合部が設けられ、前記覆隠カバーは、前記他方側嵌合部と前記上部嵌合部とが嵌合することで、前記取付孔に近接対向しない高さで前記取付孔の前記衣服の着衣方向上部において、前記衣服と固定されてもよい。
【００１７】
上記の構成を有することで、覆隠カバーを取付孔の上部において衣服に嵌合固定することができ、覆隠カバーが意図せず下ろされることで機能部の駆動に影響することを防ぐことが可能となる。また、所望の覆隠箇所を覆隠する際に、固定されている覆隠カバーを容易に着衣方向下向きに下ろすことが可能となる。
【００１８】
また、本考案に係る機能部を着脱可能な衣服において、前記他方側嵌合部は、前記覆隠カバーを下ろしたときの前記覆隠カバーの下端部に設けられ、前記一方側嵌合部は、前記衣服において前記覆隠カバーの前記下端部に設けられた前記他方側嵌合部に嵌合可能な位置に設けられてもよい。
【００１９】
上記の構成を有することで、覆隠固定部は、着衣方向下向きに下ろした状態の覆隠カバーの下端部となるため、覆隠カバーの端部等が捲れることなく、所望の覆隠箇所を確実に覆隠した状態で覆隠カバーを衣服に固定することが可能となる。そのため、該覆隠箇所の外観の違和感をより確実に解消することが可能となる。
【考案の効果】
【００２０】
本考案によれば、機能部を取り外しても外観の違和感なく、使用することが可能となる衣服を提供することが可能となる。
【図面の簡単な説明】
【００２１】
【図１】本考案の実施形態による機能部を着脱可能な衣服の一例であるファンを着脱可能な衣服において、ファンを取り付けた状態（ファン付き服）を示す正面視の平面図である。
【図２】本考案の実施形態による機能部を着脱可能な衣服の一例であるファンを着脱可能な衣服において、ファンを取り付けた状態（ファン付き服）を示す背面視の平面図である。
【図３】本考案の実施形態による機能部を着脱可能な衣服の一例であるファンを着脱可能な衣服における覆隠カバーの収容状況を示す図２のＡ−Ａ線に沿う断面図である。
【図４】本考案の実施形態による機能部を着脱可能な衣服の一例であるファンを着脱可能な衣服において、ファンを取り外し、取付孔を覆隠した状態を示す正面視の平面図である。
【図５】本考案の実施形態による機能部を着脱可能な衣服の一例であるファンを着脱可能な衣服において、ファンを取り外し、取付孔を覆隠した状態を示す背面視の平面図である。
【考案を実施するための形態】
【００２２】
以下、本考案の実施形態によるファン（機能部）を着脱可能な衣服について、図１乃至図５に基づいて説明する。
なお、本実施形態において、ファン付き服１または服１０の着衣時の着衣者の背筋方向を上下方向、ファン付き服１または服１０上で上下方向に直交する方向を左右方向とおく。
先ず、図１および図２に示すように、ファン付き服１は、服１０とファン１１から構成される。服１０は、服背部１２において着衣者の腰部に対向し、着衣者の背筋に接触する部位を軸Ｏとして略対称となる位置に一対の取付部１３，１３が設けられている。一対の取付部１３，１３は、軸Ｏで略対称となる位置に一対の取付孔１４，１４が設けられている。また、一対の取付孔１４，１４を介して一対の取付部１３，１３に一対のファン１１，１１が設けられている。ファン１１は、服１０の内部に送風可能かつ服１０に着脱可能に設けられている。また、取付孔１４は、ファン１１の駆動時にファン付き服１の着衣内部を換気する機能を有する。また、取付部１３は、ファン付き服１または服１０の着衣時における下端部の両端に近接する位置に一対の雄側ボタン１５，１５が設けられている。一対の雄側ボタン１５，１５は、服背部１２を貫通して設けられ、嵌合面が服１０の外面に面して設けられている。
【００２３】
取付部１３の服１０の表面における形状は正方形であり、取付孔１４を穿孔可能かつ一対の雄側ボタン１５，１５を取付孔１４から所定の間隔を有して略対称となる位置に設けることが可能な大きさを有する。なお、取付部１３の服１０の表面における形状は、所定の取付孔１４を穿孔可能で、一対の雄側ボタン（一方側嵌合部）１５，１５を所望の位置に設けることが可能であれば、本実施形態の構成に限らない。例えば、取付部１３は、取付孔１４よりも大きい円形形状や長方形状で形成してもよい。
【００２４】
また、取付部１３は、ファン付き服１の着衣時における伸縮やファン１１の自重等によって取付孔１４が過度に変形しない所定の強度を有する。例えば、服１０の表地と裏地に渡って帆布生地（型紙生地）を用いて取付部１３を形成することが挙げられる。なお、取付部１３は、上記の外力によって取付孔１４が過度に変形しないのであれば、本実施形態の構成に限らない。例えば、所定の強度を有する服背部１２に取付孔１４を直接穿孔してもよい。
【００２５】
一対のファン１１，１１は、ファン付き服１の内部に配された接続ケーブル１６によって、ファン付き服１の内部に設けられたバッテリー収容部１７に格納されたバッテリー１８に通電可能に接続されている。上記の構成により、ファン付き服１の送配電機構が形成され、一対のファン１１，１１は、バッテリー１８からの通電により駆動し、ファン付き服１が機能する。なお、ファン付き服１が所望の機能を発揮することが可能であれば、上記のファン付き服１の送配電機構の構成および各部の配設位置は本実施形態に限らない。例えば、一対のファン１１，１１のそれぞれにバッテリー１８，１８を接続し、一対のファン１１，１１を駆動させてもよいし、バッテリー収容部１７が服１０の外側に設けられてもよい。
【００２６】
覆隠ひだ２は、服背部１２において、ファン付き服１または服１０の着衣者の背筋に接触する部位を中心に服背部１２の左右方向に延びて設けられ、左右方向に偏長な１枚の生地から形成される。覆隠ひだ２の下端部と取付部１３の上端部とは、近接して設けられている。
また、覆隠ひだ２は、服１０を構成する生地の表地の外観と略一致する。例えば、服１０の表地の外観と同じ外観を形成してもよいし、服１０の表地の外観が不均一（例えば、迷彩柄）である際は、覆隠ひだ２の外観を服１０の表地の外観に連続させて形成してもよい。また、服１０の表地の外観と同系の色彩によって形成してもよい。
【００２７】
また、図３に示すように、覆隠ひだ２は、左右方向に偏長な１枚の生地の上端部が服背部１２に取り付けられ、下端部を上下方向上向きへ内側に折り込むことで形成される。上記の構成により、覆隠ひだ２は、表部２１と折込み部２２とから形成される。また、覆隠ひだ２の上端部が服背部１２に取り付けられた部位は、覆隠ひだ上端部２３として形成される。
また、覆隠ひだ２は、下端部全体において服背部１２と折込み部２２とが近接対向し、服背部１２の上下方向下向きに開口する開口部２４が設けられている。
【００２８】
図１および図２に示すように、折込み部２２の上端部は、左右方向の中央部が覆隠ひだ上端部２３と一体となって服背部１２に取り付けられ、一体化固定部２５が形成される。また、覆隠ひだ２の左右方向の両側部は、服背部１２に取り付けられ、側部固定部２６，２６として形成される。一体化固定部２５の左右方向の両端部は、一体化固定端２７ａ，２７ａとして形成される。覆隠ひだ上端部２３の左右方向の両端部とそれぞれの端部に近接する側部固定部２６，２６とのそれぞれの交差部は、端部固定端２７ｂ，２７ｂとして形成される。
【００２９】
図１乃至図３に示すように、覆隠ひだ２は、一体化固定部２５の左右方向の両隣部において、表部２１と折込み部２２とが、服背部１２と覆隠ひだ２との間に形成された空間においてそれぞれ近接対向し、上下方向上向きに開口する収容口２８，２８が備えられた一対の収容部２９，２９が形成される。
収容部２９は、近接する一方の一体化固定端２７ａと近接する一方の端部固定端２７ｂとを左右方向の両端部とし、一体化固定部２５を構成しない折込み部２２と対向する表部２１の裏地とが近接対向して形成される。
【００３０】
図３乃至図５に示すように、覆隠ひだ２と折込み部２２との間に一対の覆隠カバー３，３が設けられている。覆隠カバー３は、上下方向の下端部の両端に近接する位置に一対の雌側ボタン（他方側嵌合部）３１，３１が設けられている。一対の覆隠カバー３，３は、上下方向の上端部が覆隠ひだ上端部２３に略一致する位置で服背部１２に取り付けられ、一対の覆隠カバー固定部３２，３２を形成している。収容部２９は、近接する覆隠カバー３を収容可能な大きさおよび位置に形成されている。
【００３１】
覆隠カバー３は、近接する取付孔１４の上下方向上部に設けられ、覆隠カバー３を上下方向下向きに下ろすことで、取付孔１４を覆隠可能である。覆隠カバー３の表面形状は、左右方向に近接する取付部１３と略一致する長さを有し、上下方向に取付部１３より長い長さを有して形成されている。例えば、上下方向に長い長方形の表面形状で形成されている。
【００３２】
一対の雌側ボタン３１，３１は、覆隠カバー３を上下方向下向きに下ろしたときに、覆隠カバー３に近接する取付孔１４に対向する覆隠カバー３の一方の面に嵌合面が設けられている。一対の雄側ボタン１５，１５と一対の雌側ボタン３１，３１とは、覆隠カバー３を上下方向下向きに下ろしたときにそれぞれ嵌合可能な構成および設置位置で設けられている。
【００３３】
取付孔１４は、近接する覆隠カバー３を上下方向下向きに下ろすことで、外部から覆隠される。また、一対の雄側ボタン１５，１５と一対の雌側ボタン３１，３１とがそれぞれ嵌合し、服背部１２上に一対の覆隠固定部４，４が形成されることで、服１０と覆隠カバー３とが取付孔１４を覆隠した状態で固定される。
【００３４】
また、取付孔１４の穿孔形状は、例えば、円形に形成されている。また、取付部１３と取付部１３に設けられている取付孔１４とは、それぞれの中心が略一致して形成されている。なお、取付孔１４の穿孔形状は、取付孔１４にファン１１を取付可能で、取付孔１４が覆隠カバー３によって覆隠可能であれば、本実施形態の構成に限らない。例えば、取付孔１４が多角形の穿孔形状で設けられていてもよい。
【００３５】
また、取付孔１４は、ファン１１を着脱可能に確実に取り付ける機構が設けられてもよい。例えば、取付孔１４の周縁部に伸縮可能なゴム材や取付孔１４の中心に近接する方向に延びて形成され、取付孔１４の穿孔方向に弾性変形するひだ部が設けられてもよい。
【００３６】
また、一対の雄側ボタン１５，１５と一対の雌側ボタン３１，３１とは、覆隠カバー３を上下方向下向きに下ろしてそれぞれを嵌合させ、一対の覆隠固定部４，４を形成したときに、服背部１２と覆隠カバー３との表面形状が均された状態（嵌合によって服１０の表面にしわ等が生じていない状態）で嵌合可能な位置に設けられる。
【００３７】
また、一対の雄側ボタン１５，１５と一対の雌側ボタン３１，３１とは、互いに嵌合することで形成される一対の覆隠固定部４，４を介して、服１０と覆隠カバー３とを取付孔１４を覆隠した状態で固定可能であれば、それぞれの設置位置は本実施形態の構成に限らない。例えば、覆隠カバー３の下端中央部や側部等と取付部１３上の対応する位置に雄側ボタン１５および雌側ボタン３１を３個以上設けて、服１０と覆隠カバー３とをより強固に固定してもよい。
【００３８】
また、一対の雄側ボタン１５，１５と一対の雌側ボタン３１，３１とは、一対の覆隠固定部４，４を介して、服１０と覆隠カバー３とを取付孔１４を覆隠した状態で固定可能であれば、嵌合物の種類は限定されない。例えば、貼剥自在な面ファスナーや粘着性を有するテープを覆隠カバー３の上下方向の下端部一帯に設ける構成としてもよいし、フック等の簡易な嵌合または固定動作により覆隠可能な構成としてもよい。また、雌側ボタン３１の嵌合時に外部に面する面の外観は、服１０の外表面の外観と同様または略一致する、または同系の目立たない色彩によって形成されている。
【００３９】
覆隠カバー３は、覆隠カバー３の下端から上下方向上向きに覆隠カバー３を巻き上げて取りまとめることで収容部２９に格納され、外部から視認不可な構成で覆隠ひだ２内に収容される。なお、覆隠カバー３は、ファン付き服１の使用時においてファン１１の駆動に影響せず、服１０の外観に違和感が生じなければ、格納・収容方法は本実施形態の構成に限らない。
例えば、覆隠カバー３の上部から収容部２９に収容されてもよい。また、服１０において取付孔１４の上部に一対の雌側ボタン３１，３１と嵌合可能な嵌合機構（上部嵌合部）を設け、覆隠カバー３を取付孔１４の上部で嵌合固定してもよいし、固定した状態で収容部２９に収容してもよい。なお、一対の雌側ボタン３１，３１と嵌合可能な上部嵌合部は、服１０の覆隠ひだ２に対向する箇所に覆隠された状態で設けられてもよいし、服１０の取付孔１４と覆隠ひだ２との間に位置する箇所に設けられてもよい。
【００４０】
また、一対の雌側ボタン３１，３１について、貼剥自在な面ファスナー等のその他の嵌合物により形成されている場合や３個以上の雌側ボタン３１が嵌合部として設けられている場合においても、上部嵌合部は、上記の嵌合物構成を考慮されて形成されてもよい。また、ファン１１の駆動に影響しないよう覆隠カバー３を収容可能であれば、覆隠ひだ２の服１０に対向する箇所に雌側ボタン３１と嵌合可能な嵌合機構を設け、覆隠カバー３を覆隠ひだ２内で嵌合固定し、収容してもよい。
【００４１】
また、覆隠カバー３を上下方向下向きに下ろしたときの覆隠カバー３の外表面の外観は、服１０の外表面の外観と同様または略一致する。例えば、服１０の表地の外観と同じ外観を形成してもよいし、服１０の表地の外観が不均一（例えば、迷彩柄）である際は、覆隠カバー３の外表面の外観を服１０の表地の外観に連続させて形成してもよい。また、服１０の表地の外観と同系の色彩によって形成してもよい。
【００４２】
なお、覆隠カバー３を下ろしたときに服１０の外観に違和感がなく服１０を使用することが可能であれば、本実施形態の構成に限らない。例えば、服１０の外表面の外観が無地であり、覆隠カバー３の外表面に絵柄等の服１０の外表面の外観に略一致しない外観が形成されてもよい。
【００４３】
また、覆隠ひだ２は、覆隠カバー３を収容部２９に収容可能であれば、開口部２４を服１０と覆隠ひだ２の対向する面に一対設けられた貼剥自在な面ファスナーにより形成してもよい。また、収容口２８を表部２１と折込み部２２の対向する面に一対設けられた貼剥自在な面ファスナーにより形成してもよい。この構成により、容易な操作によって覆隠カバー３が振動等により意図せず外部に出ることを防ぐことができ、簡易な動作によって覆隠カバー３を上下方向下向きに下ろすことができる。
また、覆隠ひだ２は、覆隠カバー３を収容部２９に収容可能であれば、２枚以上の覆隠ひだ２を組み合わせて覆隠カバー３を収容する機構を形成してもよい。
【００４４】
覆隠カバー３および一対の覆隠固定部４，４とは、覆隠する取付孔１４にファン１１を取り付けたときに、ファン１１によって服背部１２側に形成される厚みとファン１１の大きさを考慮して形成されていれば、ファン１１を取り付けた状態で該覆隠箇所を覆隠することもできる。
【００４５】
また、ファン付き服１を機能させた際に所望の効果が得られるのであれば、ファン１１、取付部１３および取付孔１４の構成および配設位置は本実施形態の構成に限らない。例えば、１つのファン１１を機能部として設けてもよいし、ファン１１を服１０の前部や側部に設けてもよい。また、取付部１３と取付孔１４とが上記のファン１１の配設数および配設位置を考慮して形成されてもよいし、上記の取付孔１４の覆隠機構についても、取付孔１４の配設数および配設位置を考慮して取付孔１４を覆隠可能に形成されてもよい。
【００４６】
次に、上述した本実施形態によるファンを着脱可能な衣服の作用・効果について図１乃至図５に基づいて説明する。
【００４７】
図４および図５に示すように、本実施形態では一対のファン１１，１１を取り外した状態の服１０において、一対の取付部１３，１３に設けられた一対の取付孔１４，１４に対してそれぞれの上部に設けられた一対の覆隠カバー３，３を上下方向下向きに下ろして一対の取付孔１４，１４を覆隠する。
一方の取付部１３と一方の取付部１３に近接する覆隠カバー３にそれぞれ設けられている一対の雄側ボタン１５，１５と一対の雌側ボタン３１，３１とを嵌合させることにより、一対の覆隠固定部４，４を形成して服１０と覆隠カバー３とを固定する。他方の取付部１３と他方の取付部１３に近接する覆隠カバー３においても同様にして服１０と覆隠カバー３とを固定する。
上記の機構により、一対の覆隠カバー３，３を上下方向下向きに下ろしてそれぞれの覆隠箇所に一対の覆隠固定部４，４を形成することで、一対の取付孔１４，１４を外部から確実に覆隠することが可能となる。
【００４８】
また、一対の覆隠カバー３，３を上下方向下向きに下ろしたときの一対の覆隠カバー３，３の外表面の外観と服１０の外表面の外観とは略一致する。
この構成により、一対の取付孔１４，１４を覆隠し、服１０と一対の覆隠カバー３，３とを固定した際に、該覆隠箇所の外観への違和感が解消される。そのため、該覆隠箇所への違和感なく、一対のファン１１，１１を取り外しても服１０を一般的な衣服として使用することが可能となる。
【００４９】
また、図１乃至図３に示すように、一対のファン１１，１１を取り付けたファン付き服１の状態において、一対の覆隠カバー３，３は、上下方向上向きに巻き上げて取りまとめられ、近接する収容部２９，２９に格納される。
この構成により、一対の覆隠カバー３，３を外部から視認不可な状態で収容することが可能となる。そのため、ファン付き服１の外表面の外観の違和感なく、ファン付き服１を使用することが可能となる。
【００５０】
また、上下方向上向きに開口する収容口２８，２８が設けられている構成により、一対の覆隠カバー３，３を近接する収容部２９，２９に収容した際に、着衣者の運動等による振動等により収容した一対の覆隠カバー３，３が意図せず外部に出ることを防ぐことが可能となる。そのため、一対の覆隠カバー３，３が外部に出ることで近接する一対のファン１１，１１の駆動に影響を与える可能性を低減・解消することが可能となる。また、一対の覆隠カバー３，３をそれぞれが収容されている収容部２９，２９から上下方向下向きに下ろす際に、一対の覆隠カバー３，３を容易に取り出すことが可能となり、一対の取付孔１４，１４の覆隠作業の作業性を向上させることが可能となる。
【００５１】
以上、本考案による機能部を着脱可能な衣服の実施形態について説明したが、本考案は上記の実施形態に限定されるものではなく、その趣旨を逸脱しない範囲で適宜変更可能である。
例えば、上記の実施形態では、一対のファン１１，１１を取り外した構成の服１０について一対の覆隠カバー３，３を上下方向下向きに下ろして一対の取付孔１４，１４を覆隠しているが、一対のファン１１，１１を取り付けた状態においても一対の覆隠カバー３，３を上下方向下向きに下ろして一対のファン１１，１１を覆隠可能であり、それぞれの覆隠箇所において一対の覆隠固定部４，４を形成することにより、ファン付き服１と一対の覆隠カバー３，３とを固定可能であれば、一対のファン１１，１１を取り付けた状態で一対の取付孔１４，１４を覆隠してもよい。
【００５２】
また、上記の実施形態では、一対の取付孔１４，１４に対して近接する一対の覆隠カバー３，３をそれぞれ上下方向下向きに下ろして覆隠しているが、一対の取付孔１４，１４の両方を覆隠可能な大きさを有する１枚の覆隠カバー３を形成して一対の取付孔１４，１４を覆隠してもよい。
【００５３】
また、１箇所以上の取付孔１４が設けられた衣服に対しても、各取付孔１４に対して覆隠可能な位置に本考案の覆隠機構を設けることによって、全ての取付孔１４を覆隠することが可能となる。例えば、服１０に取付孔１４が３箇所設けられた場合において、それぞれの取付孔１４に対し、覆隠可能な位置に本考案の覆隠機構を設けてもよい。
【００５４】
また、上記の実施形態では、機能部として空調（送風・換気）機能を有するファン１１が用いられているが、他の機能を有する着脱可能な機能部に本考案を適用してもよい。
【符号の説明】
【００５５】
１  ファン付き服（機能部を着脱可能な衣服）
２  覆隠ひだ
３  覆隠カバー
４  覆隠固定部
１０  服
１１  ファン（機能部）
１２  服背部
１３  取付部
１４  取付孔
１５  雄側ボタン（一方側嵌合部）
１６  接続ケーブル
１７  バッテリー収容部
１８  バッテリー
２１  表部
２２  折込み部
２３  覆隠ひだ上端部
２４  開口部
２５  一体化固定部
２６  側部固定部
２７ａ  一体化固定端
２７ｂ  端部固定端
２８  収容口
２９  収容部
３１  雌側ボタン（他方側嵌合部）
３２  覆隠カバー固定部
Ｏ  軸（背筋接触部位）
【図１】
0003233777.tif 000003
【図２】
0003233777.tif 000004
【図３】
0003233777.tif 000005
【図４】
0003233777.tif 000006
【図５】
0003233777.tif 000007